(57)【特許請求の範囲】
【請求項１】
車両に並設され、検出対象物が当接又は近接することで変化する検知信号を個別に出力する複数のセンサと、
前記複数の検知信号のピーク位置を検出するピーク位置検出部と、
前記複数のピーク位置の順番に基づいて、前記複数のセンサの並設方向における前記検出対象物の移動方向を検出する操作方向検出部と、
前記検出された移動方向に応じて開閉体の駆動を制御する駆動制御部とを備え、
前記ピーク位置検出部は、前記複数の検知信号の各々の時間微分値が所定のピーク位置判定閾値を下回るタイミングを該当の前記ピーク位置として検出する、車両用操作検出装置。
【請求項２】
請求項１に記載の車両用操作検出装置において、
前記ピーク位置判定閾値は、負数である、車両用操作検出装置。
【発明の詳細な説明】
【技術分野】
【０００１】
本発明は、開閉体に対する操作を検出する車両用操作検出装置に関するものである。
【背景技術】
【０００２】
従来、こうした車両用操作検出装置としては、例えば特許文献１に記載された車両用パワーバックドア自動開閉システムや特許文献２に記載された制御装置および方法などが知られている。
【０００３】
特許文献１では、ユーザが車両に設置された静電容量式のセンサに身体の一部（例えば手など）を触れる動作がバックドアに対する開閉要求動作となっている。具体的には、センサは、二つのタッチセンサを有しており、例えばユーザが二つのタッチセンサに触れる順番（時間差）に基づいてバックドアに要求された操作方向が判定されるようになっている。
【０００４】
同様に、特許文献２では、各種物体を所定の場所に近付けたり遠ざけたりするといったユーザの操作が検出（判定）されるようになっており、検出結果に応じて自動車に関する様々な機能を発揮させるようになっている。
【先行技術文献】
【特許文献】
【０００５】
【特許文献１】特開２００５−３０７６９２号公報
【特許文献２】特開２００９−１８６５５号公報
【発明の概要】
【発明が解決しようとする課題】
【０００６】
ところで、特許文献１では、各タッチセンサが生成・出力する静電容量に相関するパルス信号と所定の閾値との大小関係に基づいて人（ユーザ）の動きがあったか否かを判定している。従って、ユーザが二つのタッチセンサに触れる順番も、両タッチセンサのパルス信号と所定の閾値との大小関係が逆転するタイミングによって判定している。この場合、例えば製品公差や環境変化などの影響で、両タッチセンサの間で感度にばらつきがあると、即ち両タッチセンサの感度が互いに同等でないと、前述の順番が誤判定される可能性がある。特許文献２でも同様である。これについて、以下でより具体的に説明する。
【０００７】
図１４は、３つのタッチセンサに準じたセンサ電極９１，９２，９３が並設される構成において、それらの順番どおりになる一方向に沿ってユーザが身体の一部（例えば手指Ｈなど）を移動させる状態を示すものである。また、図１５は、ユーザの当該動作に合わせてセンサ電極９１〜９３が生成・出力するパルス信号に準じた検知信号Ｓ９１，Ｓ９２，Ｓ９３の推移をその大小関係の判定に係る閾値Ｓｔｈと併せて示すものである。
【０００８】
図１５（ａ）に示すように、センサ電極９１〜９３の感度が互いに同等である場合には、検知信号Ｓ９１〜Ｓ９３の波形が互いに同等であり、ユーザの動作に合わせてそれらの順番どおりに検知信号Ｓ９１〜Ｓ９３が生成等されている。従って、検知信号Ｓ９１〜Ｓ９３が閾値Ｓｔｈを下回る時刻（いわゆる閾値オフタイミング）ｔ９１，ｔ９２，ｔ９３もセンサ電極９１〜９３の順番どおりになるように時間差が生じている。換言すれば、時刻ｔ９１，ｔ９２，ｔ９３の順番を監視することで、ユーザの動作（ユーザの手指Ｈの移動方向）が判定される。
【０００９】
一方、図１５（ｂ）に示すように、センサ電極９１〜９３の感度がそれらの順番どおりに低くなる場合にも、同様にユーザの動作に合わせてそれらの順番どおりに検知信号Ｓ９４，Ｓ９５，Ｓ９６が生成等されている。しかしながら、例えば相対的に感度の高いセンサ電極９１〜９３の検知信号Ｓ９４，Ｓ９５，Ｓ９６が相対的に感度の低いセンサ電極９１〜９３の検知信号Ｓ９４，Ｓ９５，Ｓ９６を含むようにそれらが生成等されることがある。この場合、検知信号Ｓ９１〜Ｓ９３が閾値Ｓｔｈを下回る時刻ｔ９４，ｔ９５，ｔ９６はセンサ電極９１〜９３の本来の順番とは逆転した順番になるように時間差が生じている。これにより、ユーザの動作（ユーザの手指Ｈの移動方向）が本来とは逆向きに判定されることになる。
【００１０】
あるいは、図１５（ｃ）に示すように、センサ電極９２の感度のみが他のセンサ電極９１，９３の感度よりも高い場合には、ユーザの動作に関わらずセンサ電極９２の検知信号Ｓ９８が他のセンサ電極９１，９３の検知信号Ｓ９７，Ｓ９９を含むようにそれらが生成等されることがある。この場合、検知信号Ｓ９７〜Ｓ９９が閾値Ｓｔｈを下回る時刻ｔ９７，ｔ９８，ｔ９９は、時刻ｔ９９が時刻ｔ９８よりも先行することになって、ユーザの動作（ユーザの手指Ｈの移動方向）が判定不能となる。
【００１１】
本発明の目的は、開閉体に対する操作の検出精度をより向上できる車両用操作検出装置を提供することにある。
【課題を解決するための手段】
【００１２】
上記課題を解決する車両用操作検出装置は、車両に並設され、検出対象物が当接又は近接することで変化する検知信号を個別に出力する複数のセンサと、前記複数の検知信号のピーク位置を検出するピーク位置検出部と、前記複数のピーク位置の順番に基づいて、前記複数のセンサの並設方向における前記検出対象物の移動方向を検出する操作方向検出部と、前記検出された移動方向に応じて開閉体の駆動を制御する駆動制御部とを備え、前記ピーク位置検出部は、前記複数の検知信号の各々の時間微分値が所定のピーク位置判定閾値を下回るタイミングを該当の前記ピーク位置として検出する。
【００１３】
通常、例えば製品公差や環境変化などの影響で前記複数のセンサの間で感度にばらつきがあったとしても、前記各センサの前記検知信号は当該センサの正面に前記検出対象物が位置するときに最大となる傾向にある。換言すれば、前記複数のセンサの前記検知信号が最大となるタイミング（即ちピーク位置）の順番は、前記検出対象物が正面に位置する前記複数のセンサの順番に一致する。この構成によれば、前記操作方向検出部による前記検出対象物の移動方向の検出に、前記複数のピーク位置の順番を使用することで、例えば製品公差や環境変化などの影響で前記複数のセンサの間で感度にばらつきがあったとしても、前記検出対象物の移動方向をより正確に検出できる。
【００１５】
この構成によれば、前記各時間微分値と前記ピーク位置判定閾値との大小関係に基づく極めて簡易な手法で前記ピーク位置を検出、即ち前記検出対象物の移動方向を検出できる。
【００１６】
上記車両用操作検出装置について、前記ピーク位置判定閾値は、負数であることが好ましい。
通常、前記各検知信号は、例えばノイズの影響を受けることで、その時間微分値がゼロになることがある。この構成によれば、前記ピーク位置判定閾値が負数であることで、前記したノイズが前記ピーク位置として誤検出される可能性を低減できる。
【発明の効果】
【００１７】
本発明は、開閉体に対する操作の検出精度をより向上できる効果がある。
【図面の簡単な説明】
【００１８】
【図１】車両用操作検出装置の一実施形態が適用される車両についてその側部構造を示す斜視図。
【図２】図１の２−２線に沿った断面図。
【図３】同変形形態の車両用操作検出装置についてその構造を示す正面図。
【図４】同実施形態の車両用操作検出装置についてその電気的構成を示すブロック図。
【図５】同実施形態の車両用操作検出装置についてその操作を示す説明図。
【図６】（ａ）、（ｂ）は、同実施形態の車両用操作検出装置についてその操作の検出態様を説明するタイムチャート。
【図７】同実施形態の車両用操作検出装置についてその操作の検出態様を示すフローチャート。
【図８】車両用操作検出装置の変形形態が適用される車両についてその後部構造を示す斜視図。
【図９】同変形形態の車両用操作検出装置についてその構造を示す正面図。
【図１０】車両用操作検出装置の変形形態が適用される車両についてその構造を示す側面図。
【図１１】（ａ）、（ｂ）は、車両用操作検出装置の変形形態についてその構造を示す正面図。
【図１２】車両用操作検出装置の変形形態が適用される車両についてその後部構造を示す斜視図。
【図１３】図１２の１３−１３線に沿った断面図。
【図１４】車両用操作検出装置の従来形態の車両用操作検出装置についてその操作を示す説明図。
【図１５】（ａ）〜（ｃ）は、従来形態の車両用操作検出装置についてその操作の検出態様を説明するタイムチャート。
【発明を実施するための形態】
【００１９】
以下、車両用操作検出装置の一実施形態について説明する。
図１に示すように、自動車などの車両１のボデー２の側部には開口２ａが形成されている。また、ボデー２の側部には、前後方向への移動に伴って開口２ａを開閉する開閉体としてのスライドドア３が搭載されている。このスライドドア３は、その下部を構成する略袋状のドアパネル４を有するとともに、該ドアパネル４から上下方向に進退する窓ガラス５を有する。そして、ドアパネル４には、閉状態にあるスライドドア３を施解錠するドアロック６が設置されている。
【００２０】
スライドドア３には、例えばドアパネル４において、ドア駆動ユニット１１が設置されている。このドア駆動ユニット１１は、例えば電動モータなどの電気的駆動源を主体に構成されており、適宜のドア駆動機構を介してボデー２と機械的に連係されることでスライドドア３を開閉駆動する。また、スライドドア３には、例えばドアロック６に隣接して、ドアロック駆動ユニット１２が設置されている。このドアロック駆動ユニット１２は、例えば電動モータなどの電気的駆動源を主体に構成されており、適宜のロック駆動機構を介してドアロック６と機械的に連係されることで該ドアロック６を施解錠駆動する。
【００２１】
ドア駆動ユニット１１及びドアロック駆動ユニット１２は共に、例えばＭＣＵ（マイコン）からなるドアＥＣＵ（Electronic Control Unit）１０に電気的に接続されており、該ドアＥＣＵ１０によって個別に駆動制御される。
【００２２】
窓ガラス５には、ドアパネル４近傍で略短冊状のセンサ体１５が設置されている。すなわち、図２に示すように、ドアパネル４には、車室内の意匠を形成するドアトリム７が取着されるとともに、ドアパネル４の上端には、上下方向に進退する窓ガラス５の車室外側面に摺接する水切り用のベルトモール８が取着されている。そして、センサ体１５は、窓ガラス５よりも車室内側となるドアトリム７上に載置されている。図３に示すように、センサ体１５は、前後方向に間隔をあけて配置される複数のセンサとしての静電容量センサの第１電極１６、第２電極１７及び第３電極１８を有するとともに、それらの形成される基板１９を有する。第１〜第３電極１６〜１８は、互いに略同一形状を呈している。
【００２３】
図１に示すように、第１〜第３電極１６〜１８は、静電容量検出回路１３に電気的に接続されている。この静電容量検出回路１３は、第１〜第３電極１６〜１８に発振信号を出力することで、それらの静電容量に応じた電圧レベルの検知信号Ｓ１，Ｓ２，Ｓ３［Ｖ］をそれぞれ出力させる。静電容量検出回路１３による発振信号の出力とそれに対応する検知信号Ｓ１〜Ｓ３の入力は、第１〜第３電極１６〜１８の全てに対して同時に行うようにしてもよいし、短時間で切り替えて第１〜第３電極１６〜１８に対して順番に行うようにしてもよい。
【００２４】
従って、第１〜第３電極１６〜１８は、センサ体１５の近傍で窓ガラス５の表面に検出対象物（例えば人の手指Ｈなど）が当接又は近接することで変化する検知信号Ｓ１〜Ｓ３を静電容量検出回路１３に個別に出力する。この静電容量検出回路１３は、ドアＥＣＵ１０に電気的に接続されている。なお、本実施形態の正規操作では、ユーザー（人）がその手指Ｈを窓ガラス５に対して動かす動作がスライドドア３の開閉に係る適宜の操作を表すものとなっている。すなわち、図５に示すように、例えば手指Ｈを第１電極１６から第３電極１８に向かって前後方向に移動させる動作（以下、「後スワイプ」ともいう）がスライドドア３の開作動とこれに合わせたドアロック６の解錠（アンロック）作動をさせる操作を表している。あるいは、手指Ｈを第３電極１８から第１電極１６に向かって前後方向に移動させる動作（以下、「前スワイプ」ともいう）がスライドドア３の閉作動とこれに合わせたドアロック６の施錠（ロック）作動をさせる操作を表している。
【００２５】
図４に示すように、ドアＥＣＵ１０は、演算・制御回路１０ａ及び駆動回路１０ｂを有する。そして、ドアＥＣＵ１０は、演算・制御回路１０ａにおいて静電容量検出回路１３に電気的に接続されるとともに、駆動回路１０ｂにおいてドア駆動ユニット１１及びドアロック駆動ユニット１２に電気的に接続されている。静電容量検出回路１３は、検知信号Ｓ１〜Ｓ３をそれぞれＡ／Ｄ（アナログ／デジタル）変換した検知データＤ１，Ｄ２，Ｄ３を演算・制御回路１０ａに出力する。
【００２６】
演算・制御回路１０ａは、検知データＤ１〜Ｄ３に基づいて各種演算処理を実行するとともに、該演算処理の結果に応じた制御信号Ｃを駆動回路１０ｂに出力する。駆動回路１０ｂは、制御信号Ｃに応じてドア駆動ユニット１１及びドアロック駆動ユニット１２を駆動する。
【００２７】
次に、演算・制御回路１０ａによる後スワイプの検出態様等について説明する。
図５に示すように、ユーザがその手指Ｈを窓ガラス５に近付けて後スワイプをすると、手指Ｈが第１電極１６から第３電極１８に向かって前後方向に移動する。従って、図６（ａ）に示すように、第１〜第３電極１６〜１８は、ユーザの動作に合わせてそれらの順番どおりに検知データＤ１〜Ｄ３（検知信号Ｓ１〜Ｓ３）を生成等する。ただし、例えば第１〜第３電極１６〜１８の感度がそれらの順番どおりに低くなっており、相対的に感度の高い第１〜第３電極１６〜１８の検知データＤ１〜Ｄ３が相対的に感度の低い第１〜第３電極１６〜１８の検知データＤ１〜Ｄ３を含むようにそれらが生成等されたとする。この場合、仮に従来形態に準じて検知データＤ１〜Ｄ３が閾値Ｄｔｈを下回る時刻ｔ１，ｔ２，ｔ３を取得すると、それらは第１〜第３電極１６〜１８の本来の順番とは逆転した順番になるように時間差が生じている。これにより、ユーザの動作（ユーザの手指Ｈの移動方向）が本来とは逆向きに検出されることはいうまでもない。
【００２８】
そこで、本実施形態では、演算・制御回路１０ａは、検知データＤ１〜Ｄ３の各々のピーク位置を検出する（ピーク位置検出部）。これは、通常、第１〜第３電極１６〜１８の間で感度にばらつきがあったとしても、第１〜第３電極１６〜１８の各々の検知データＤ１〜Ｄ３はその正面に手指Ｈが位置するときに最大となる傾向にあることによる。換言すれば、第１〜第３電極１６〜１８の検知データＤ１〜Ｄ３が最大となるタイミング（即ちピーク位置）の順番は、手指Ｈが正面に位置する第１〜第３電極１６〜１８の順番に一致する。
【００２９】
より具体的には、図６（ｂ）に示すように、演算・制御回路１０ａは、検知データＤ１〜Ｄ３の各々の時間微分値ΔＤ１，ΔＤ２，ΔＤ３を演算することで該当のピーク位置を検出する。これは、検知データＤ１〜Ｄ３のピーク位置が極値であることで、時間微分値ΔＤ１〜ΔＤ３がピーク位置の前後で正数から負数に切り替わることに着目してのことである。
【００３０】
すなわち、演算・制御回路１０ａは、複数の検知データＤ１〜Ｄ３の各々の時間微分値ΔＤ１〜ΔＤ３が負数である所定のピーク位置判定閾値ΔＤｔｈを下回るタイミングを該当のピーク位置として検出する。従って、演算・制御回路１０ａは、時間微分値ΔＤ１〜ΔＤ３がピーク位置判定閾値ΔＤｔｈを下回る時刻ｔ１１，ｔ１２，ｔ１３を、検知データＤ１〜Ｄ３のピーク位置として検出する。この場合、前述の感度にばらつきに関わらず、時刻ｔ１１，ｔ１２，ｔ１３（即ちピーク位置）の順番は、手指Ｈが正面に位置する第１〜第３電極１６〜１８の順番に一致している。演算・制御回路１０ａは、時刻ｔ１１，ｔ１２，ｔ１３の順番に基づいて、第１〜第３電極１６〜１８の並設方向における手指Ｈの移動方向（後スワイプ）を検出する（操作方向検出部）。
【００３１】
なお、本来であれば、極値であるピーク位置での時間微分値ΔＤ１〜ΔＤ３はゼロであることから、ピーク位置判定閾値ΔＤｔｈをゼロであればよい。ピーク位置判定閾値ΔＤｔｈを負数にしているのは、例えばノイズの影響を受けて各検知データＤ１〜Ｄ３の時間微分値ΔＤ１〜ΔＤ３がゼロになることに対応するためである。換言すれば、ピーク位置判定閾値ΔＤｔｈを負数にすることで、このようなノイズがピーク位置として誤検出される可能性を低減している。
【００３２】
ユーザがその手指Ｈを窓ガラス５に近付けて前スワイプをする場合についても、時間微分値ΔＤ１〜ΔＤ３がピーク位置判定閾値ΔＤｔｈを下回るタイミング（ｔ１１，ｔ１２，ｔ１３）の順番が逆転することを除いて同様である。
【００３３】
なお、時間微分値ΔＤ１〜ΔＤ３は、検知データＤ１〜Ｄ３の実際の時間微分値であってもよい。あるいは、時間微分値ΔＤ１〜ΔＤ３は、例えば一の演算周期における検知データＤ１〜Ｄ３からそれ以前の演算周期（例えば前回の演算周期）における検知データＤ１〜Ｄ３を減算した値を両演算周期の時間差で除した値であってもよい。あるいは、時間微分値ΔＤ１〜ΔＤ３は、例えば一の演算周期における検知データＤ１〜Ｄ３からそれ以前の演算周期（例えば前回の演算周期）における検知データＤ１〜Ｄ３を減算した値であってもよい。これは、検知データＤ１〜Ｄ３が一定の時間差で取得されるのであれば、それらの差分が時間要素を含むことによる。
【００３４】
次に、演算・制御回路１０ａによる上記した後スワイプ及び前スワイプの検出態様についてフローチャートに従って総括して説明する。この処理は、例えば全ての時間微分値ΔＤ１〜ΔＤ３がピーク位置判定閾値ΔＤｔｈを下回る（ΔＤ１〜ΔＤ３＜ΔＤｔｈ）と判定されることで起動される。
【００３５】
図７に示すように、処理がこのルーチンに移行すると、演算・制御回路１０ａは、ステップＳ１において、第１電極１６の時間微分値ΔＤ１が最初にピーク位置判定閾値ΔＤｔｈを下回ったか否か、即ち時刻ｔ１１が一番早かったか否かを判断する。ここで、第１電極１６の時間微分値ΔＤ１が最初にピーク位置判定閾値ΔＤｔｈを下回ったと判断されると、演算・制御回路１０ａは、ステップＳ２において、第２電極１７の時間微分値ΔＤ２が次にピーク位置判定閾値ΔＤｔｈを下回ったか否か、即ち時刻ｔ１２が二番目に早かったか否かを判断する。そして、第２電極１７の時間微分値ΔＤ２が次にピーク位置判定閾値ΔＤｔｈを下回ったと判断されると、演算・制御回路１０ａは、ステップＳ３において、第３電極１８の時間微分値ΔＤ３が最後にピーク位置判定閾値ΔＤｔｈを下回ったか否か、即ち時刻ｔ１３が一番遅かったか否かを判断する。そして、第３電極１８の時間微分値ΔＤ３が最後にピーク位置判定閾値ΔＤｔｈを下回ったと判断されると、演算・制御回路１０ａは、ステップＳ４において後スワイプと判断してその後の処理を終了する。
【００３６】
一方、第１電極１６の時間微分値ΔＤ１が最初にピーク位置判定閾値ΔＤｔｈを下回っていないと判断されると（ステップＳ１でＮＯ）、演算・制御回路１０ａは、ステップＳ５において、第３電極１８の時間微分値ΔＤ３が最初にピーク位置判定閾値ΔＤｔｈを下回ったか否か、即ち時刻ｔ１３が一番早かったか否かを判断する。ここで、第３電極１８の時間微分値ΔＤ３が最初にピーク位置判定閾値ΔＤｔｈを下回ったと判断されると、演算・制御回路１０ａは、ステップＳ６において、第２電極１７の時間微分値ΔＤ２が次にピーク位置判定閾値ΔＤｔｈを下回ったか否か、即ち時刻ｔ１２が二番目に早かったか否かを判断する。そして、第２電極１７の時間微分値ΔＤ２が次にピーク位置判定閾値ΔＤｔｈを下回ったと判断されると、演算・制御回路１０ａは、ステップＳ７において、第１電極１６の時間微分値ΔＤ１が最後にピーク位置判定閾値ΔＤｔｈを下回ったか否か、即ち時刻ｔ１１が一番遅かったか否かを判断する。そして、第１電極１６の時間微分値ΔＤ１が最後にピーク位置判定閾値ΔＤｔｈを下回ったと判断されると、演算・制御回路１０ａは、ステップＳ８において前スワイプと判断してその後の処理を終了する。
【００３７】
また、第３電極１８の時間微分値ΔＤ３が最初にピーク位置判定閾値ΔＤｔｈを下回っていないと判断されると（ステップＳ５でＮＯ）、演算・制御回路１０ａは、後スワイプ及び前スワイプのいずれでもあり得ないことから、ステップＳ９において操作無し若しくは異常操作と判断してその後の処理を終了する。
【００３８】
なお、第２電極１７の時間微分値ΔＤ２が次にピーク位置判定閾値ΔＤｔｈを下回っていないと判断されても（ステップＳ２、ステップＳ６でＮＯ）、演算・制御回路１０ａは、同様にステップＳ９において操作無し若しくは異常操作と判断してその後の処理を終了する。あるいは、第３電極１８の時間微分値ΔＤ３が最後にピーク位置判定閾値ΔＤｔｈを下回っていないと判断されても（ステップＳ３でＮＯ）、演算・制御回路１０ａは、同様にステップＳ９において操作無し若しくは異常操作と判断してその後の処理を終了する。あるいは、第１電極１６の時間微分値ΔＤ１が最後にピーク位置判定閾値ΔＤｔｈを下回っていないと判断されても（ステップＳ７でＮＯ）、演算・制御回路１０ａは、同様にステップＳ９において操作無し若しくは異常操作と判断してその後の処理を終了する。
【００３９】
そして、演算・制御回路１０ａは、例えば後スワイプが判断されることでスライドドア３の開作動とこれに合わせたドアロック６の解錠（アンロック）作動をさせるべく駆動回路１０ｂに制御信号Ｃを出力する。あるいは、演算・制御回路１０ａは、前スワイプが判断されることでスライドドア３の閉作動とこれに合わせたドアロック６を施錠（ロック）作動をさせるべく駆動回路１０ｂに制御信号Ｃを出力する。
【００４０】
次に、本実施形態の作用とともに、その効果について説明する。
（１）本実施形態では、演算・制御回路１０ａによる後スワイプ又は前スワイプ（検出対象物の移動方向）の検出に、複数のピーク位置（時刻ｔ１１，ｔ１２，ｔ１３）の順番を使用した。従って、例えば製品公差や環境変化などの影響で第１〜第３電極１６〜１８の間で感度にばらつきがあったとしても、後スワイプ又は前スワイプをより正確に検出できる。
【００４１】
（２）本実施形態では、各時間微分値ΔＤ１〜ΔＤ３とピーク位置判定閾値ΔＤｔｈとの大小関係に基づく極めて簡易な手法でピーク位置を検出、即ち後スワイプ又は前スワイプを検出できる。
【００４２】
（３）本実施形態では、ピーク位置判定閾値ΔＤｔｈが負数であることで、ノイズがピーク位置として誤検出される可能性を低減できる。
なお、上記実施形態は以下のように変更してもよい。
【００４３】
・図８に示すように、ボデー２１の後部に形成された開口２１ａを開閉する開閉体としてのバックドア２２を搭載する車両２０であってもよい。このバックドア２２は、開口２１ａの上部に設けられたドアヒンジ（図示略）を介して開閉自在に取着されている。バックドア２２は、ドアヒンジを中心に上方に押し上げられることで開放される。
【００４４】
バックドア２２の外表面の中央部（ガーニッシュ２４上方の中央部）に、例えば会社名などの標章２５が設置されている。図９に併せ示すように、標章２５の背部には、複数のセンサとしての静電容量センサの上側電極２６及び下側電極２７が設置されている。上側電極２６は、標章２５の上部に配置されており、該標章２５の上縁にならって略三日月形に成形されている。一方、下側電極２７は、標章２５の下部に配置されており、該標章２５の下縁にならって略三日月形に成形されている。上側電極２６及び下側電極２７が上下方向に間隔をあけて配置されていることはいうまでもない。上側電極２６及び下側電極２７の各々は、標章２５に検出対象物（例えば人の手指など）が当接又は近接することで変化する検知信号を出力する。これにより、前記実施形態に準じて操作方向（検出対象物の移動方向）の判定処理等が実行される。
【００４５】
この変形形態の正規操作では、ユーザー（人）がその手指を標章２５に対して動かす動作がバックドア２２の開閉に係る適宜の操作を表すものとなっている。すなわち、例えば手指を下側電極２７から上側電極２６に向かって上下方向に移動させる動作（以下、「上スワイプ」ともいう）がバックドア２２を開作動させる操作を表しており、上側電極２６から下側電極２７に向かって上下方向に移動させる動作（以下、「下スワイプ」ともいう）がバックドア２２を閉作動させる操作を表している。なお、上スワイプは、スライドドア３の開作動とこれに合わせたドアロック６の解錠（アンロック）作動をさせる操作を表すものであってもよい。一方、下スワイプは、バックドア２２の閉作動とこれに合わせたドアロック６の施錠（ロック）作動をさせる操作を表すものであってもよい。
【００４６】
また、例えば上スワイプ及び下スワイプの往復スワイプによって、操作禁止期間を設定させる操作を表すようにしてもよい。また、２回の下スワイプによって、予約ロック・ドア閉鎖を設定・作動させる操作を表すようにしてもよい。あるいは、手指Ｈを標章２５の位置で保持（以下、「長かざし」という）した後の下スワイプによって、予約ロック・ドア閉鎖を設定・作動させる操作を表すようにしてもよい。
【００４７】
なお、バックドア２２は、スライドドア３に準じてドアＥＣＵ（１０）によりドア駆動ユニット（４）及びドアロック駆動ユニット（６）が駆動制御されることで開閉等するようになっている。この場合、下スワイプがバックドア２２を閉作動させる操作であることで、即ち上スワイプがバックドア２２を開作動させる操作に限定されることで、例えば降雨等に伴って標章２５を下方に向かって流れた水が下スワイプとして誤検出されたとしても、少なくともバックドア２２が開作動することを回避できる。
【００４８】
・図１０に示すように、ボデー２の側部に、開口２ａの下縁に沿って前後方向に延在するサイドスカート（「ロッカーカバー」ともいう）９が設置される場合において、該サイドスカート９に設置される複数のセンサとしての赤外線センサ４１，４２，４３であってもよい。また、スライドドア３の下縁に沿って前後方向に延在するサイドマッドガード（図示しない）に設置される複数のセンサとしての赤外線センサ４１〜４３であってもよい。赤外線センサ４１〜４３は、前方から後方に向かってその順番で前後方向に並設されている。赤外線センサ４１〜４３の各々は、サイドスカート９の表面に検出対象物（例えば人の足Ｆなど）が当接又は近接することで変化する検知信号を出力する。これにより、前記実施形態に準じて操作方向（検出対象物の移動方向）の判定処理等が実行される。
【００４９】
この変形形態の正規操作では、ユーザー（人）がその足Ｆをサイドスカート９に対して動かす動作がスライドドア３の開閉に係る適宜の操作を表すものとなっている。すなわち、例えば足Ｆを後方に向かって前後方向に移動させる動作（後スワイプ）がスライドドア３の開作動とこれに合わせたドアロック６の解錠（アンロック）作動をさせる操作を表している。一方、足Ｆを前方に向かって前後方向に移動させる動作（前スワイプ）がスライドドア３の閉作動とこれに合わせたドアロック６の施錠（ロック）作動をさせる操作を表している。なお、後スワイプはスライドドア３を開作動させる操作のみを表していてもよい。同様に、前スワイプはスライドドア３を閉作動させる操作のみを表していてもよい。
【００５０】
また、例えば後スワイプ及び前スワイプの往復スワイプによって、操作禁止期間を設定させる操作を表すようにしてもよい。また、２回の前スワイプによって、予約ロック・ドア閉鎖を設定・作動させる操作を表すようにしてもよい。
【００５１】
サイドスカート９に設置される赤外線センサの個数は、複数であれば任意である。また、サイドスカート９に上下方向に並設される複数の赤外線センサであってもよい。さらに、複数の赤外線センサに代えて、複数の静電容量センサの電極や焦電センサなどの光センサ、超音波センサ、熱感知センサなどを採用してもよい。
【００５２】
・図１１（ａ）、（ｂ）に示すように、車室内の頭上の操作盤であるオーバーヘッドコンソール５０を搭載する場合において、該オーバーヘッドコンソール５０に複数のセンサとしての静電容量センサの電極５１，５２，５３が並設されていてもよい。電極５１〜５３の各々は、オーバーヘッドコンソール５０の表面に検出対象物（例えば人の手指Ｈなど）が当接又は近接することで変化する検知信号を出力する。これにより、前記実施形態に準じて操作方向（検出対象物の移動方向）の判定処理等が実行される。
【００５３】
この変形形態の正規操作では、ユーザー（人）がその手指Ｈをオーバーヘッドコンソール５０に対して動かす動作がルーフに搭載されたサンルーフ（図示略）の開閉に係る適宜の操作を表すものとなっている。すなわち、一方の指（例えば親指）Ｈ１を中央の電極５２から左端の電極５１に向かって移動させるとともに、他方の指（例えば人差し指）Ｈ２を中央の電極５２から右端の電極５３に向かって移動させる動作、いわゆる指Ｈ１，Ｈ２を開くピンチがサンルーフを開作動させる操作を表している。また、一方の指Ｈ１を左端の電極５１から中央の電極５２に向かって移動させるとともに、他方の指Ｈ２を右端の電極５３から中央の電極５２に向かって移動させる動作、いわゆる指Ｈ１，Ｈ２を閉じるピンチがサンルーフを閉作動させる操作を表している。
【００５４】
なお、サンルーフは、スライドドア３に準じてドアＥＣＵ（１０）によりドア駆動ユニット（４）が駆動制御されることで開閉するようになっている。
・図１２に示すように、ボデー２１の後部に、バックドア２２の下方で車両の幅方向に延在するリヤバンパ３１が取着される場合において、該リヤバンパ３１に設置される複数のセンサとしての静電容量センサの上側電極３６及び下側電極３７であってもよい。すなわち、図１３に併せ示すように、このリヤバンパ３１は、例えば金属製のリンフォース３２を有するとともに、樹脂製のバンパカバー３３を有する。リンフォース３２は、リヤバンパ３１の略全長に亘って車両の幅方向に延在する略長尺形状を呈しており、バンパカバー３３は、リンフォース３２の全体を後方から覆っている。
【００５５】
図１２に示すように、上側電極３６及び下側電極３７は共に、リヤバンパ３１の略全長に亘って車両の幅方向に延在する略帯形状を呈しており、互いに同等の形状となっている。そして、上側電極３６の下方に略一定の間隔をあける状態で下側電極３７が配置されている。なお、バンパカバー３３は、その表面（外表面）に上側電極３６及び下側電極３７を包括する略長方形の操作入力部３４を形成する。上側電極３６及び下側電極３７は、操作入力部３４に検出対象物（例えば人の足Ｆなど）が当接又は近接することで変化する検知信号を出力する。これにより、前記実施形態に準じて操作方向（検出対象物の移動方向）の判定処理等が実行される。
【００５６】
なお、操作入力部３４に設置されるセンサ電極の個数は、複数であれば任意である。あるいは、操作入力部３４に設置されるセンサ電極としては、車両の幅方向に間隔をあけて配設される複数のセンサ電極であってもよい。また、センサ電極に代えて、赤外線センサ、焦電センサなどの光センサや超音波センサ、熱感知センサなどを採用してもよい。この変形形態の正規操作では、ユーザー（人）がその足Ｆをリヤバンパ３１（操作入力部３４）に対して動かす動作がバックドア２２の開閉に係る適宜の操作を表すものとなっている。
【００５７】
・前記実施形態において、複数の検知データＤ１〜Ｄ３の全てが所定の閾値を超えたか否かを判定して（判定部）、全ての検知データＤ１〜Ｄ３が所定の閾値を超えたと判定された場合に、時間微分値ΔＤ１〜ΔＤ３（ピーク位置の順番）に基づく操作方向（検出対象物の移動方向）の検出を行うようにしてもよい。なお、複数の検知データＤ１〜Ｄ３に該当の閾値は、互いに同値であってもよいし、例えば第１〜第３電極１６〜１８の感度に合わせた互いに異なる値であってもよい。
【００５８】
このように変更すれば、操作方向の検出に係る複数のピーク位置の順番は、所定の閾値を超えて十分なＳ／Ｎ比の確保された複数の検知データＤ１〜Ｄ３に基づくことで、操作方向の検出精度をより向上できる。
【００５９】
・前記実施形態において、複数のピーク位置の時間差に基づいてスワイプ（後スワイプ、前スワイプ）の速度（検出対象物の移動速度）を検出するようにしてもよい（操作速度検出部）。すなわち、図６から示唆されるように、相対的に遅いスワイプでは、各隣り合うピーク位置の時間差が自ずと長くなる。一方、相対的に速いスワイプでは、各隣り合うピーク位置の時間差が自ずと短くなる。以上により、複数のピーク位置の時間差に基づいてスワイプ（後スワイプ、前スワイプ）の速度が検出可能である。
【００６０】
ここで、相対的に遅いスワイプは、相対的に遅い駆動速度でスライドドア３を開閉作動させる操作を表し、相対的に速いスワイプは、相対的に速い駆動速度でスライドドア３を開閉作動させる操作を表すものであればよい。この場合、演算・制御回路１０ａは、検出されたスワイプの速度に応じてスライドドア３の駆動速度（開閉作動速度）を制御する（駆動制御部）。すなわち、例えば検出されたスワイプの速度が相対的に速い場合には、演算・制御回路１０ａは、相対的に速い駆動速度でスライドドア３を開閉作動させるべく駆動回路１０ｂに制御信号Ｃを出力する。これにより、スワイプの速度を変更することで、これに応じてスライドドア３の駆動速度を変更できる。
【００６１】
なお、スワイプの速度に応じてリニアにスライドドア３の駆動速度を変更してもよい。あるいは、スワイプの速度に応じて複数グループに分割するとともに、所属するグループに応じて段階的にスライドドア３の駆動速度を変更してもよい。
【００６２】
・前記実施形態において、ピーク位置判定閾値ΔＤｔｈはゼロであってもよい。
・前記実施形態においては、検知信号Ｓ１，Ｓ２をＡ／Ｄ変換した検知データＤ１，Ｄ２を使用して比の値Ｒａの演算等を行ったが、検知信号Ｓ１，Ｓ２をそのまま使用してアナログ的に比の値（Ｒａ）の演算等を行ってもよい。
【００６３】
・前記実施形態において、センサ体１５は、ベルトモール８に内蔵されていてもよい。
・前記実施形態において、複数のセンサは、ユーザの操作を煩わせない位置で車両に並設されるのであれば、その配置は任意である。例えば操作対象がバックドア２２である場合には、ガーニッシュ２４の表面であってもよい。また、操作対象がスライドドア３である場合には、ピラーやアウトサイドドアハンドルの表面であってもよい。要は、想定される検出対象物に合わせて複数のセンサが配置されるのであればよい。
【００６４】
・前記実施形態において、後スワイプはスライドドア３を開作動させる操作のみを表していてもよい。同様に、前スワイプはスライドドア３を閉作動させる操作のみを表していてもよい。
【００６５】
また、例えば後スワイプ及び前スワイプの往復スワイプによって、操作禁止期間を設定させる操作を表すようにしてもよい。また、２回の前スワイプによって、予約ロック・ドア閉鎖を設定・作動させる操作を表すようにしてもよい。
【００６６】
なお、予め決められた操作以外の動きが検出された場合には、装置を非作動にしたり、必要な禁止処理を行ったりすることで、誤作動の可能性をより低減できる。
・前記実施形態において、センサ体１５の有するセンサ電極の個数は、複数であれば任意である。あるいは、センサ体１５の有するセンサ電極としては、上下方向に間隔をあけて配設される複数のセンサ電極であってもよい。
【００６７】
・前記実施形態において、センサは、検出対象物が当接又は近接することで変化する検知信号を出力可能であれば、赤外線センサ、焦電センサなどの光センサや超音波センサ、熱感知センサなどであってもよい。
【００６８】
・前記実施形態において、開閉に係る操作対象（開閉体）は、例えば窓ガラス５（ウィンドウレギュレータ）やスイングドア、ボンネット、トランクリッド、フューエルリッドなどであってもよい。あるいは、乗降をサポートするために回転可能な回転シートや昇降可能な昇降シートなどであってもよい。
【００６９】
次に、上記実施形態及び別例から把握できる技術的思想について以下に追記する。
（イ）上記車両用操作検出装置において、
前記複数の検知信号の全てが所定の閾値を超えたか否かを判定する判定部を備え、
前記操作方向検出部は、前記判定部により前記複数の検知信号の全てが前記所定の閾値を超えたと判定されたときに、前記複数のピーク位置の順番に基づく前記検出対象物の移動方向を検出する、車両用操作検出装置。
【００７０】
この構成によれば、前記検出対象物の移動方向の検出に係る前記複数のピーク位置の順番は、前記所定の閾値を共に超えて十分なＳ／Ｎ比の確保された前記複数の検知信号に基づくことで、前記検出対象物の移動方向の検出精度をより向上できる。
【００７１】
（ロ）上記車両用操作検出装置において、
前記複数のピーク位置の時間差に基づいて前記検出対象物の移動速度を検出する操作速度検出部を備え、
前記駆動制御部は、前記検出された移動速度に応じて開閉体の駆動速度を制御する、車両用操作検出装置。
【００７２】
この構成によれば、前記検出対象物の移動速度を変更することで、これに応じて前記開閉体の駆動速度を変更できる。
【符号の説明】
【００７３】
Ｆ…足（検出対象物）、Ｈ…手指（検出対象物）、Ｈ１，Ｈ２…指（検出対象物）、１，２０…車両、３…スライドドア（開閉体）、５…窓ガラス、６…ドアロック、８…ベルトモール、１０…ドアＥＣＵ、１０ａ…演算・制御回路（演算部、操作方向検出部、駆動制御部）、１０ｂ…駆動回路、１６…第１電極（センサ）、１７…第２電極（センサ）、１８…第３電極（センサ）、２２…バックドア（開閉体）、２４…ガーニッシュ、２５…標章、２６，３６…上側電極（センサ）、２７，３７…下側電極（センサ）、３１…バンパカバー、４１〜４３…赤外線センサ（センサ）、５０…オーバーヘッドコンソール、５１〜５３…電極（センサ）。
【図１】
0006711009.tif 000002
【図２】
0006711009.tif 000003
【図３】
0006711009.tif 000004
【図４】
0006711009.tif 000005
【図５】
0006711009.tif 000006
【図６】
0006711009.tif 000007
【図７】
0006711009.tif 000008
【図８】
0006711009.tif 000009
【図９】
0006711009.tif 000010
【図１０】
0006711009.tif 000011
【図１１】
0006711009.tif 000012
【図１２】
0006711009.tif 000013
【図１３】
0006711009.tif 000014
【図１４】
0006711009.tif 000015
【図１５】
0006711009.tif 000016